(57)【特許請求の範囲】
【請求項１】
ベッド（１）と、ベッド（１）内で長手方向（ｗ）にスライドするように装着された編みツール（３、３ａ）とを備え、該編みツール（３、３ａ）は長手方向（ｗ）に間隔を置いて設けられた作用バット（６、６ａ）と制御バット（７、７ａ）を有する編み機用のロック装置であって、作用バット（６、６ａ）に関連づけられて、持ち上げられた編みツール（３、３ａ）を後退させる引下げロック部品（６１）と、制御バット（７、７ａ）に関連づけられて、長手方向（ｗ）にスライド可能で、編みツール（３、３ａ）が引下げロック部品（６１）によって後退されていく側にあたる後退位置と、長手方向（ｗ）でこの後退位置の反対側にあたる前進位置とに各々が調節可能である２つのロック部品の組（１０、１１）と（１０ａ、１１ａ）とを含み、前記２組のロック部品の中のロック部品（１０、１０ａ）は長手方向（ｗ）に直交する方向に走行する押下げカム（４５）を、前記２組のロック部品の中のロック部品（１１、１１ａ）は長手方向（ｗ）に直交する方向に走行する押下げカム（４２）をそれぞれ備えると共に、前記２組のロック部品の中のロック部品（１０、１０ａ）は長手方向（ｗ）に対して斜め方向に走行する持上げカム（４６）を、前記２組のロック部品の中のロック部品（１１、１１ａ）は長手方向（ｗ）に対して斜め方向に走行する持上げカム（４３）をそれぞれ備え、前記２組のロック部品の中のロック部品（１０、１０ａ）の持上げカム（４６）と、ロック部品（１１、１１ａ）の持上げカム（４３）とは、長手方向（ｗ）に直交する方向で、ロック部品（１０、１０ａ）の持上げカム（４６）の方がロック部品（１１、１１ａ）の持上げカム（４３）のあとに続くように配置され、前記２組のロック部品の中のロック部品（１１、１１ａ）の持上げカム（４３）がタック位置まで上昇し、前記２組のロック部品の中のロック部品（１０、１０ａ）の持上げカム（４６）がタック位置からニット位置まで上昇するものにおいて、
前記２つのロック部品の組（１０、１１）と（１０ａ、１１ａ）とは、これらの後退位置においてロック部品（１０、１０ａ）の持上げカム（４６）とロック部品（１１、１１ａ）の持上げカム（４３）とが制御バット（７、７ａ）に作用し、これらの前進位置において、ロック部品（１０、１０ａ）の押下げカム（４５）とロック部品（１１、１１ａ）の押下げカム（４２）とが制御バット（７、７ａ）に作用するように構成されて配置され、
前記２つのロック部品の組（１０、１１）と（１０ａ、１１ａ）とがこれらの前進位置にあるときに編みツール（３、３ａ）が非編成の軌道を移動し、前記２つのロック部品の組（１０、１１）と（１０ａ、１１ａ）とがこれらの後退位置にあるときに編みツール（３、３ａ）がタックまたはニット位置になる
ことを特徴とするロック装置。
【請求項２】
請求項１に記載のロック装置において、持ち上げられた編みツール（３、３ａ）の作用バット（６ｂ）を、持ち上げられなかった編みツール（３、３ａ）の作用バット（６ｆ）から分離する分離ロック部品（５８）を備えたことを特徴とするロック装置。
【請求項３】
請求項１または２に記載のロック装置において、作用バットと制御バット（６、６ａおよび７、７ａ）は、編みツール（３、３ａ）に固着されていることを特徴とするロック装置。
【請求項４】
請求項２または３に記載のロック装置において、分離ロック部品（５８）はロック装置に固定配置されたことを特徴とするロック装置。
【請求項５】
請求項１ないし４のいずれかに記載のロック装置において、引下げロック部品（６１）は、持ち上げられた編みツール（３、３ａ）を異なる範囲まで引き下げるために異なる位置に調整可能であることを特徴とするロック装置。
【請求項６】
請求項１ないし５のいずれかに記載のロック装置において、スライド可能ロック部品（１０、１０ａおよび１１、１１ａ）は、相互に平行に配置され、セグメント（１２〜１２ｄ）に設けられた切欠き（２５）内に長手方向（Ｗ）にスライド可能に取り付けられた案内バー（３６、３６ａおよび３７、３７ａ）上に取り付けられたことを特徴とするロック装置。
【請求項７】
請求項６に記載のロック装置において、切欠き（２５）はセグメント（１２〜１２ｄ）の表面に形成されたことを特徴とするロック装置。
【請求項８】
請求項６に記載のロック装置において、切欠き（２５）はセグメントに取り付けられたロック・プレートに形成されたことを特徴とするロック装置。
【請求項９】
請求項６ないし８のいずれかに記載のロック装置において、カバー部品（４８、５１）が設けられ、切欠き（２５）を少なくとも部分的にカバーすることによって、案内バー（３６，３６ａおよび３７、３７ａ）を切欠き（２５）内に保持するようにしたことを特徴とするロック装置。
【請求項１０】
請求項６ないし９のいずれかに記載のロック装置において、案内バー（３６、３６ａおよび３７、３７ａ）の背面側は、各種ロック部品（１０、１０ａおよび１１、１１ａ）を移行するための制御溝（５３、５４）をもつことを特徴とするロック装置。
【請求項１１】
請求項１０に記載のロック装置において、シフト・ピン（２２）がセグメント（１２〜１２ｆ）を通り抜け、その前端に制御溝（５３、５４）内に突入する偏心スタッド（２４）を設けたことを特徴とするロック装置。
【請求項１２】
請求項１１に記載のロック装置において、スライド可能ロック部品（１０、１０ａおよび１１、１１ａ）のいずれかに関連する偏心スタッド（２４）の位置は、関連ロック部品（１０、１０ａおよび１１、１１ａ）が前進位置および後退位置にあるとき、スタッドが別のスライド可能ロック部品（１０、１０ａおよび１１、１１ａ）の案内バー（３６、３７ａおよび３７、３７ａ）または切欠き（２５）を取り囲む側壁の１つに突き当たるように選択されたことを特徴とするロック装置。
【請求項１３】
請求項１１または１２に記載のロック装置において、偏心スタッド（２４）の位置は、編みツール（３、３ａ）が持上げカムまたは押下げカム（４３、４６および４２、４５）に突き当たったとき、スライド可能ロック部品（１０、１０ａおよび１１、１１ａ）が偏心スタッドに回転モーメントを引き起こさないように選択されたことを特徴とするロック装置。
【請求項１４】
請求項６ないし１３のいずれかに記載のロック装置において、各種ロック部品（１０、１０ａおよび１１、１１ａ）と案内バー（３６、３６ａおよび３７、３７ａ）間に幅広スペーサ（４０、４１）が介装され、該スペーサは隣接するロック部品（１０、１０ａおよび１１、１１ａ）の案内バー（３６、３６ａおよび３７、３７ａ）に、あるいはセグメント（１２〜１２ｆ）またはロック・プレートの表面に当接していることを特徴とするロック装置。
【請求項１５】
請求項１１ないし１４のいずれかに記載のロック装置において、シフト・ピン（２２）の後端にロック部品（１０、１０ａおよび１１、１１ａ）の位置を示すマーク（３３）を設けたことを特徴とするロック装置。
【請求項１６】
請求項１ないし１５のいずれかに記載のロック装置において、ロック部品（１１、１１ａ）は分割チップ（７４、７４ａ）をもち、引下げロック部品（６１）および関連補助ロック部品（６２）は、ロック部品（１１、１１ａ）が前進位置にあるとき、制御バット（７、７ａ）が分割チップ（７４、７４ａ）の下を通過し、ロック部品（１１、１１ａ）が後退位置にあるとき、分割チップの上を通過するように、作用バット（６、６ａ）と関連づけられていることを特徴とするロック装置。
【請求項１７】
請求項１６に記載のロック装置において、隣接するロック装置（１２、１２ａ、１２ｂ）内の引下げロック部品と補助ロック部品（６１、６２）の端部は同一軸上に配列されているか、あるいは重なっていることを特徴とするロック装置。
【請求項１８】
請求項２ないし１７のいずれかに記載のロック装置において、分離ロック部品（５８）は分割チップ（６９）をもち、作用バット（６、６ａ）はロック部品（１１、１１ａ）の持上げカムと押下げカム（４３、４２）の制御バット（７、７ａ）を、ロック部品（１１、１１ａ）が後退位置にあるときはチップの上を、ロック部品（１１、１１ａ）が前進位置にあるときはチップの下を通過させるように作用することを特徴とするロック装置。
【請求項１９】
請求項２ないし１８のいずれかに記載のロック装置において、ロック部品（１０、１０ａ）は分割チップ（７３、７３ａ）をもち、分離ロック部品（５８）と分離ロック部品に関連する案内ロック部品（５９）の案内カム（５９ａ）は、ロック部品（１０、１０ａ）が前進位置にあるときは、制御バット（７、７ａ）が分割チップ（７３、７３ａ）の下を通過し、ロック部品（１０、１０ａ）が後退位置にあるときは、制御バットが分割チップの上を通過するように作用バット（６、６ａ）に作用することを特徴とするロック装置。
【請求項２０】
請求項１ないし１９のいずれかに記載のロック装置において、ロック部品（１１、１１ａ）の押下げカム（４２）は、引下げロック部品（６１）よりも平坦な角度をもつ斜面（７１）をその端部に備えていることを特徴とするロック装置。
【請求項２１】
請求項１ないし２０のいずれかに記載のロック装置において、編みツール（３、３ａ）が動作時に案内されるように形成されていることを特徴とするロック装置。
【請求項２２】
請求項２１に記載のロック装置において、案内は、境界ロック部品と案内ロック部品（５７、５９）が設けられ、作用バット（６、６ａ）に作用することによって得られることを特徴とするロック装置。
【請求項２３】
請求項２２に記載のロック装置において、少なくとも分離ロック部品（５８）、境界ロック部品（５７）および案内ロック部品（５９）は一体部品であることを特徴とするロック装置。
【請求項２４】
請求項１ないし２３のいずれかに記載のロック装置において、各編みツール（３、３ａ）は１つの作用バット（６、６ａ）と１つの制御バット（７、７ａ）をもつことを特徴とするロック装置。
【発明の詳細な説明】
【０００１】
【産業上の利用分野】
本発明は、ベッドと、ベッド内で長手方向にスライドするように装着された編みツールとを備え、編みツールは長手方向に間隔を置いて設けられた作用バットと制御バットを有する編み機のロック装置に関する。
【０００２】
【従来の技術】
編み機、特に大型丸編み機は、ロック部品を備えたロック装置を必要とする場合が多く、このロック装置によれば、ロック部品はある選択されたニットウェアの製造が行われている間は、固定的に調整されるが、必要時には、別のパターン（模様）、特にニット構造パターンに高速に調整することが可能になっている。この目的のために、編み機が動作状態にないとき、個々のロック・セグメントを取り外さなくても、外部から容易に交換ができるロック部品を備えたものが知られている（DE 3 733 811 A1 ）。さらに、ロック部品を備えた支持体をセグメントに回転可能に装着して、支持体を外部から回転させることによってロック部品を選択的にタック（tuck）位置または編成（knitting）装置に調整するようにしたもの（(DE-PS 1 585 234）、あるいはロック装置の外から制御可能なピボット回転スイッチを設けたもの（DE-OS 2 366 022 ）が知られている。そのほかに、特にホース（ストッキング、ソックスなど）の丸編み機において、編みツールの長手方向またはスライド方向に直交して前後にスライド可能な切替え可能ロック部品を設けて、ロック部品を編みツールのバットと当接させ、あるいはバットから引き離すようにしたものが知られている（DE-AS 2 053 856 ）。最後に、冒頭に引用した種類の公知のロック装置（DE-OS 2 608 181 ）によれば、編みツールの長手方向にスライド可能で、ダイヤル装置で外側から調整可能なロック装置は、ダイヤル・ニードルを選択的に貫通路内に案内したり、ダイヤル・ニードルをタックまたは編み通路内に持ち上げることを目的としている。
【０００３】
上述した選択可能な公知技術と同様に、それ自体公知であるが、特に高速に稼働する丸編み機においては、編みツールを種々の通路上を連続的に、確実に案内することを可能にする手段が設けられている必要がある。この種の手段は、種々の理由で好ましいのであるが、冒頭に引用した種類のロック装置には設けられておらず、直接的に実現することができない。さらに、この種のロック装置においては、編みツールの選択されたバットを確実に案内するために、連続的に閉じたロック通路を設けたものが知られているが（DE-PS 2 636 020 ）、これを可能にするためには、望ましい多数パターン機能を放棄せざるを得なかった。その理由は、ニット／ミス・パターンからニット／タック・パターンなどへ移るとき、ロック部品を交換する必要があり、これは面倒であり、時間を浪費し、従って望ましくないためである。さらに、パターンに従って個別に選択可能な編みツールを備えた編み機において、編みツールに複数のバットを設け、少なくとも１つをピボット支持し、ロック部品が貫通タックまたはニット通路上を案内されるかどうかに関係なく、ロック部品が選択されたバットに突き当たることによって編みツールが常に確実に案内されるようにロック部品を形成したものも知られている。この原理を冒頭に引用した種類のロック装置に応用することは、これまでに行われておらず、また不可能であった。
【０００４】
【発明が解決しようとする課題】
本発明は、スライド可能ロックの調節とは無関係に、比較的単純な方法で、ほぼシステム幅全体にわたって編みツールを確実に案内することを可能にするように、冒頭に引用した種類のロック装置を提供することを目的としている。
【０００５】
【課題を解決するための手段】
上記目的を解決するため本発明が提案する編み機用のロック装置は、ベッド１と、ベッド１内で長手方向ｗにスライドするように装着された編みツール３、３ａとを備え、該編みツール３、３ａは長手方向ｗに間隔を置いて設けられた作用バット６、６ａと制御バット７、７ａを有する編み機用のロック装置である。この編み機用のロック装置は、作用バット６、６ａに関連づけられて、持ち上げられた編みツール３、３ａを後退させる引下げロック部品６１と、制御バット７、７ａに関連づけられて、長手方向ｗにスライド可能で、編みツール３、３ａが引下げロック部品６１によって後退されていく側にあたる後退位置と、長手方向ｗでこの後退位置の反対側にあたる前進位置とに各々が調節可能である２つのロック部品の組１０、１１と１０ａ、１１ａとを含んでいる。そして、ここで、前記２組のロック部品の中のロック部品１０、１０ａは長手方向ｗに直交する方向に走行する押下げカム４５を、前記２組のロック部品の中のロック部品１１、１１ａは長手方向ｗに直交する方向に走行する押下げカム４２をそれぞれ備えると共に、前記２組のロック部品の中のロック部品１０、１０ａは長手方向ｗに対して斜め方向に走行する持上げカム４６を、前記２組のロック部品の中のロック部品１１、１１ａは長手方向ｗに対して斜め方向に走行する持上げカム４３をそれぞれ備え、前記２組のロック部品の中のロック部品１０、１０ａの持上げカム４６と、ロック部品１１、１１ａの持上げカム４３とは、長手方向ｗに直交する方向で、ロック部品１０、１０ａの持上げカム４６の方がロック部品１１、１１ａの持上げカム４３のあとに続くように配置され、前記２組のロック部品の中のロック部品１１、１１ａの持上げカム４３がタック位置まで上昇し、前記２組のロック部品の中のロック部品１０、１０ａの持上げカム４６がタック位置からニット位置まで上昇するように構成されている。本発明の編み機用のロック装置は、ここで、前記２つのロック部品の組１０、１１と１０ａ、１１ａとは、これらの後退位置においてロック部品１０、１０ａの持上げカム４６とロック部品１１、１１ａの持上げカム４３とが制御バット７、７ａに作用し、これらの前進位置において、ロック部品１０、１０ａの押下げカム４５とロック部品１１、１１ａの押下げカム４２とが制御バット７、７ａに作用するように構成されて配置され、前記２つのロック部品の組１０、１１と１０ａ、１１ａとがこれらの前進位置にあるときに編みツール３、３ａが非編成の軌道を移動し、前記２つのロック部品の組１０、１１と１０ａ、１１ａとがこれらの後退位置にあるときに編みツール３、３ａがタックまたはニット位置になることを特徴としている。
【０００６】
【実施例】
以下、添付図面を参照して、本発明の作用を実施例に基づいて詳しく説明する。
【０００７】
図１は、本発明の理解を容易にするために示した丸編み機の詳細図である。すなわち、ベッド１は、垂直方向に延びたウェブ２を備えたニードル・シリンダの形体をしており、そのベッド１の間に編みツール３、この場合は、従来のラッチ針の形体をした編み針がスライド可能に装着され、各編み針はシャンク５を備えている。このシャンクには、外側に突出した２つのバット、この場合は、上部作用バット６と下部制御バット７が形成されている。ロック装置８は制御を目的とするもので、ロック部品９、１０、１１がセグメント１２に取り付けられ、必要に応じてスライド可能に装着されている。これらのロック部品については、図８〜図１０を参照して詳しく後述する。ダイヤル、シンカ・リングなどの形体をした別のベッドをベッド１と関連づけることが可能であり、その場合は、第２ベッドの編みツールはスライド可能に装着され、ロック装置８に対応するロック装置によって制御される。さらに、ベッド１とロック装置８は、従来と同じ方法で相互に対し相対移動させることにより、設置されたロック部品に応じて、編みツールの長手方向に平行に編みツールを持ち上げたり、下げたりすることができ、あるいは編みツールを循環、貫通またはミス位置に保持することができる。
【０００８】
上述した種類の編み機と編みツールおよびそれらの選択と制御は、基本的にはこの分野において公知であるので（DE-OS 2 608 181 またはDE 4 007 253 A1)、これ以上詳しく説明することは省略する。編みツールのタックまたはニット位置に送り込まれる糸についても同様であるので、糸ガイド、糸通し穴などは図に示されていない。
【０００９】
なお、ここでいうセグメントとは、穴１３をもつ支持体または類似物で、穴に通したねじ１４でロック・プレート１５に固定されたものである。ベッド１はねじ１６で支持リング１７に固定され、支持リング１７は図には詳しく示していない方法で、丸編み機のフレームに回転可能に取り付けられ、駆動モータと連結されている。セグメント１２とそこに固定されたロック部品の幅は、ベッド１の円周方向に見たとき、１つの編成システムの幅と一致していることが好ましい。
【００１０】
図２および図３に示すセグメント１２は、横断方向（矢印ｖ）に見たとき、１つの編成システムの幅全体にわたっており、その高さは、編みツール３の制御のために必要なロック部品すべてが、編成システムに直交する長手方向に収まるだけの高さになっている。編みツール３は、ウェブ２間の溝内を長手方向（矢印ｗ）に上下動することも可能であり（図１）、編みツール３のこの運動は、ベッド１が例えば、ロック装置８に対して回転可能なニードル・シリンダであるとき、横断方向（矢印ｖ）に重なって、従来と同じように長手方向に行われる。
【００１１】
図２と図３に示すように、セグメント１２は各々、ほぼ平坦な前面１９と、前面にほぼ平行になった、あるいは円筒面に沿った背面２０とを備えると共に、詳細には図示していない上面、下面、および側面を備えており、その基本形状は、全体がほぼプリズム形状になっている。４個の円筒状貫通孔２１がセグメント１２に形成されており、その中心軸はセグメント１２の横断方向と長手方向の両方に直交し、従って前面１９に直交し、その終端は背面２０で終わっている。円筒状シフト・ピン２２がこれらの貫通孔２１に回転可能に取り付けられ、その背面の終端には、例えば、アレン・キーなどのツールをはめ込むための、六角形の切欠きなどの手段２３が設けられている。特に図１に示すように、シフト・ピンは偏心スタッド２４がその前部の端面に設けられ、その軸方向に平行になっているが、軸に対して偏心して配置され、組み立て状態において、セグメント１２の前面１９から突出している。
【００１２】
セグメント１２は、さらに、その前面に断面矩形状の切欠き２５を備え、この切欠きは案内面２６の作用をする平行側面と、貫通孔２１の先端部がそこで終わっている底面とを有している。図３に示すように、切欠き２５の輪郭は、少なくとも、偏心スタッド２４の４個すべてを取り囲むように選択されている。切欠き２５の深さは、前面側から見たとき、前面１９から背面２０までの距離の一部分だけに相当する深さ、つまり、セグメント１２の厚さの一部分に相当する深さになっている。
【００１３】
切欠き２５の上方には、セグメント１２は、その厚さの一部分だけにわたった案内溝２７も備えており、この案内溝はその両側が長手方向（矢印ｗ）に対して斜め方向に延びた案内面２８になっている。案内溝２７の底は、その中央部に、セグメント１２を通り抜ける円筒状の貫通孔が設けられ、そこには円筒状調節ピン２９がはめ込まれ、この調節ピンは、その端面に案内溝２７の底とほぼ同レベルまで達するスパイラル溝３０を備えている。調節ピン２９はその後端にスケール３１が付いており、このスケールは背面側２０に設けられたマーク３２と一緒に使用される。同様に、シフト・ピン２２はその後端にマーク３３が付いており、このマークからシフト・ピンの現在の回転位置が確かめられるようになっている。これらのマーク３３が図２と図３に示すように、偏心スタッド２４が前端に位置している個所に設けられていれば、マーク３３の位置を外部から見ることによって、偏心スタッド２４の現在位置を知ることができるので、以下に詳しく説明するように、問題のセグメントの現在セットされている機能を知ることもできる。調節ピン２９とシフト・ピン２２が不用意に回転するのを防止するために、これらのピンに周縁溝を設けて、そこにラバーなどの材質のブレーキ・リングをはめ込むことができる（図１には、一方のブレーキ・リング３４が示されている）。
【００１４】
セグメント１２の切欠き２５（図３）は、その中心軸が長手方向に平行になった縦長案内バー３６、３７（図４〜図７）を受け入れるためのもので、その案内バー上に、ロック部品１０または１１がねじ、溶接などによって固定されているが、これらの案内バー３６、３７、ロック部品１０、１１およびこれから説明する部品は一体構造にすることも可能である。
【００１５】
案内バー３６、３７はその端部にそれぞれ終端セクション３８、３９をもち、その幅は、切欠き２５の案内面２６間の間隔のほぼ１／４に相当する幅になっており、４個の案内バー３６、３７がこれらの案内面２６間に配置できるようになっている。終端セクション３８、３９間では、案内バー３６、３７は過剰の摩擦抵抗を防止するために幅が狭くなっている。案内バー３６、３７の深さは、図１の実施例に示すように、その背面側を切欠き２５の底に置いてはめ込んだとき、その前面側がセグメント１２の前面側とぴったり同一面になるように選択されている。
【００１６】
ロック部品１０、１１は、案内バーより若干幅が広くなったスペーサ４０（図４、図５）を介して案内バー３６、３７に固定されている。
【００１７】
ロック部品１０は横断方向に比較的幅が狭くなっているのに対し、ロック部品１１は横断方向の幅がセグメント１２の幅と同じになっている。横断方向にほぼ平行になっているロック部品１１の下面は、全面が制御バット７の押下げカム(hold-down cam) ４２として形成されている（図１）。さらに、ロック部品１１は制御バット７の持上げカム（raising cam ）４３をもち、このカムは長手方向に対して斜めになっており、ほぼタック位置に入り込んでいる。切欠き４４がこの持上げカムの終端に設けられているが、その目的については後述する。
【００１８】
横断方向にほぼ平行になっているロック部品１０の下面は、全面が制御バット７の押下げカム４５として形成されている。さらに、ロック部品１０は制御バット７の持上げカム４６をもち、このカムは長手方向に対して斜めになっており、その高さの差は、編みツールのタック位置とニット位置との高さの差にほぼ一致している。
【００１９】
図８〜図１０は、３つの編成システムまたは本発明によるロック装置の３つのセグメント１２、１２ａおよび１２ｂを示す平面図であり、ラッチ針として形成された２個の編みツール３、３ａが右側に示されているが、これらの編みツールの違いは、編みツール３ａの制御バット７ａが編みツール３の制御バット７よりも高いレベルにあることだけである。３個の隣接して配置されたセグメント１２、１２ａおよび１２ｂに対して、図１に示す断面は、図８の断面線Ｉ−Ｉに沿って切ったものである。さらに、先行または後続セグメントのロック部品は図８〜図１０においてセグメントの左側および／または右側に一部だけが示されている。
【００２０】
図８〜図１０に示すように、４個の案内バーは相互に平行になってセグメント１２、１２ａ、１２ｂの各切欠き２５内に配置されている。すなわち、右から左に向かって、案内バー３７、案内バー３７ａ、案内バー３６、案内バー３６ａが配置され、図１０には、符号３７、３７ａ、３６、３６ａだけが示されている。関連のロック部品１０、１０ａ、１１および１１ａは、ロック部品１０、１１が下部制御バット７の領域に位置し、これと同時に、ロック部品１０ａ、１１ａが上部制御バット７ａの領域に位置するように、案内バー３６、３６ａ、３７、３７ａに取り付けられている。さらに、ロック部品１０は、ロック部品１１の切欠き４４（図７）に向き合うように配置されている。ロック部品１０ａ、１１ａも同様な配置になっている。案内バー３６、３６ａまたは３７、３７ａはほぼ同一形状であるが、ロック部品１０、１１は下部領域にはめ込まれているのに対し、ロック部品１０ａ、１１ａは上部領域にはめ込まれ、さらに、切欠き２５内の案内バー３６ａ、３７ａの位置はそれに応じて選択される。
【００２１】
案内バー３６、３６ａ、３７および３７ａの位置を確実にし、スライドが可能な限り傾かないで行われ、しかも相互の摩擦と切欠き２５内の摩擦が小さくなるようにするために、種々の処置が施された。まず第１に、切欠き２５の下端にまたがるようにカバー部品４８が設けられている。このカバー部品は、ねじ４９とだぼピン５０によって各セグメント１２の前面側に固定され（図１も参照）、案内バー３６、３６ａ、３７、３７ａの下部の終端セクション３９に当接している。さらに、第２のカバー部品５１が案内バーの上部の終端セクション３８と関連づけられている。さらに、案内バーから横方向に突出したスペーサ４０、４１の部分は、他のロック部品の案内バーまたはセグメント１２の前面側１９に当接することによって、傾くのを防止している。図１０を見れば明らかなように、セグメント１２ｂのスペーサ４１は、一方の側では、隣接する案内バー３７ａに当接し、他方の側では、セグメント１２ｂの前面側１９ｂに当接している。最後に、相対的に幅が広くなったロック部品１１、１１ａは、図７と図８に示すように、必要に応じて、スペーサ４１に向き合う端部に追加のスライド部品５２が設けられている。このスライド部品の高さは、スペーサ４０、４１の高さとほぼ同じになっており、同じように、スライド部品５２は図８に示すように、セグメント１２の前面側１９、特に、セグメント１２の左側に当接している。
【００２２】
上述した本発明の特徴によれば、許容誤差を比較的広く保って、一方では、案内バーの案内を確実に、しかも容易に行うことが可能であり、他方では、ロック部品１０、１１、１０ａおよび１１ａを傾けることなく位置付けることが可能である。これは、編み機の動作時に負荷が発生しても、また、ロック部品１０、１１、１０ａ、１１ａが特殊なケースで調整された位置に関係なく、行うことが可能である。さらに、ロック部品に必要な調整通路は非常に小さくて済むので、ロック装置と編みツール・キャリアの構造的長さを小さくすることが可能である。
【００２３】
ロック部品１０、１１を長手方向に平行に、つまり、長手方向に移動させるために、案内バー３６、３６ａ、３７、３７ａは、その背面側に横断制御溝５３、５４が設けられている（図４および図６）。これらは、案内バーをセグメント１２の切欠き２５に取り付けた後、各々が関連シフト・ピン２２（図３）の偏心スタッド２４を受け入れるようにする位置に設けられている。そのあと、関連シフト・ピン２２を外側からある方向に、あるいは反対の方向に回転させると、これにより案内バー３６、３７は自動的にシフトし、ロック部品１０、１１は長手方向（矢印ｗ）に移動することになる。案内バー３６ａと３７ａの構造も同じであるので、シフト・ピン２２の各々は切欠き２５内に配置された４個の案内バーの１つに関連づけられている。
【００２４】
上部カバー部品５１は、図９にセグメント１２ａについて太線で示すような外形輪郭になっている。この輪郭内に、境界ロック部品５７、分離ロック部品５８および案内ロック部品５９が配置されている。これらのロック部品は作用バット６、６ａに作用するもので、関連カバー部品５１の前面に、それらの高さに応じて突出するようになっている。カバー部品５１はねじ６０によってセグメント１２の前面側に固定されているが、ロック部品５７、５８、５９と一体構成にすることが好ましい。
【００２５】
最後に、本発明によるロック装置は、引下げ（take-down)ロック部品６１と補助ロック部品６２を備えている。これらのロック部品はスライド部品６３に取り付けられており、その外形輪郭は、セグメント１２の場合について図８に実線と部分破線で示されている。これらはスライド部品と一体構成にすることが好ましい。スライド部品６３は、その下面に取り付けられた案内ピンがスパイラル溝３０（図３）に入り込むようにセグメント１２の案内溝２７内にはめ込まれている。そこからロック部品６１、６２が他のロック部品の高さで突出しているスライド部品６３は、案内溝２７内の奥に置かれ、ロック部品から解放されたセクションがカバー部品５１によってカバーされて、スライド部品６３が案内溝２７内に保持されるようになっている。図８に一部だけを示すように、調節ピン２９を回すと、スライド部品６３は案内溝内を前後に移動するので、ループのサイズが設定される。
【００２６】
説明を簡単にするために、スライド可能ロック部品１０ａ、１１ａは図８〜図１０では、すべての編みツール３、３ａが循環ウェルトまたはミス通路６６ではセグメント１２（図８）内を、タック通路６６ａではセグメント１２ａ（図９）内を、ニット通路６６ｂではセグメント１２ｂ（図１０）内を案内されるように選択されている。図８〜図１０に示す通路６６、６６ａおよび６６ｂは、編みツール３と３ａの上端によって、つまり、例えば、ラッチ針のフックによって描かれ、バット６、６ａおよび７、７ａは対応する通路に従って移動するようになっている。
【００２７】
本発明によるロック装置８によれば、編みツール３および３ａの制御を、以下に説明するように非常に簡単に行うことができるが、そのバットは図８〜図１０に短い線でロック部品の領域に示されている。
【００２８】
すべての編みツール３、３ａがニット（セグメント１２ｂ）に選択されると、すべてのスライド可能ロック部品１０、１１、１０ａおよび１１ａは図１０の低位置または後退位置にセットされる。この状態は、シフト・ピン２２を適当に回転させ、関連マーク３３（図２）をチェックすることによって得られる。そのとき、マークはすべて例えば、高位置にあるので、編みツールが関連ロック部品によって持ち上げられることが分かる。この場合、制御バット７、７ａはまず、ロック部品１１、１１ａの持上げカム４３（図７）上を走行し、次に、カム４３の延長部分であるロック部品１０、１０ａの持上げカム４６上に移る。タックにセットされたときは（図９のセグメント１２ａ）、ロック部品１１、１１ａはこの場合も低位置にあり、ロック部品１０、１０ａは前進位置または高位置にあり、ロック部品１１、１１ａよりも高い位置に置かれるので、バット７、７ａはその持上げカム４６（図５）上を走行できないが、押下げカム４５（図５）の領域に入り込む。上方シフト・ピン２２のマーク３３は下を指しており（関連編みツールがタック位置に通過することを意味する）、下方シフト・ピン２２のマーク３３は上を指したままである。持ち上げる編みツール３、３ａがないと（図８のセグメント１２）、両方のロック部品１０、１１または１０ａ、１１ａは高位置または前進位置にセットされる。この場合は、制御バット７、７ａはすべて押下げカム４２（図７）の領域に入り込むので、これらによって持ち上げられることがない。同時に、ロック部品１０、１０ａはロック部品１１、１１ａの切欠き４４（図７）内に位置し、例えば、すべてのマーク３３は下を指している。これとは別に、このミス位置が切欠き４４を大きくして、ロック部品１０、１０ａが図１０のセグメント１２ｂに対応する低位置または後退位置になるようにすることも可能である。さらに、ロック部品１１ａと境界ロック部品５７の下面に、それぞれ切欠き６７、６８を設けて（図８のセグメント１２参照）、ロック部品１０、１０ａが高位置のときそこに入り込むようすると、ロック部品１０、１０ａ、１１、１１ａまたはその持上げカムの幅およびストロークに関して、全体的に効率のよい状態が得られるという利点がある。また、セグメント、編みツールおよび編みツール・キャリアを比較的短くすることも可能である。これは、ダイヤル・ロックの場合は重要であり、コストを削減し、ニードルを軽量化するので、編み速度が高速化することになる。
【００２９】
従って、すべてのスライド可能ロック部品１０、１０ａ、１１、１１ａは、選択された持上げカム（例えば、４３または４３と４６）がその後退位置で制御バット７、７ａに作用し、選択された押下げカム（例えば、４２または４５）が制御カム７、７ａに作用するように形成され、配置されている。
【００３０】
シフト・ピン２２の位置は、偏心スダッド２４が、図３に示すように高位置または低位置にあるとき、制御溝５３、５４（図４、６）の１つの中央にではなく、その左側または右側に位置し、隣接する案内バー３６、３７または切欠き２５を取り巻く壁に突き当たるように選択されているので、付加的な刻みや終端ストッパなどを設ける必要がない。さらに、本発明の利点として、シフト・ピン２２は、図２および図３に示すように、スライド可能ロック部品１０、１１および１０ａ、１１ａが前進または後退位置にあるとき、偏心スタッド２４が図３に示す最高または最低位置になるように選択されている。もう１つの重大な利点は、編みツール３、３ａまたはその制御バット７、７ａまたは作用バット６、６ａからスライド可能ロック部品に伝わる反発力が偏心スタッド２４に回転モーメントを引き起こさないことである。ロック部品１０、１０ａ、１１、１１ａが前進位置にあり、関連偏心スタッド２４が図３に示す最高位置にあるときは、タックまたはミス位置を通過する編みツールは、ロック部品または偏心スダッドをさらに持ち上げる働きをする。逆に、ロック部品と偏心スタッド２４が低位置にあるとき編みツール３、３ａを持ち上げると、これらのさらに低位置になるように作用を受けるので、さらに強くそのストッパを押し付けることになるが、図３に示す位置になることはあり得ないので、どちらの場合も、回転モーメントが生じることがない。
【００３１】
図８〜図１０に示すミス、タックおよびニット通路６６、６６ａおよび６６ｂの全体は、ベッド１がロック装置８に対して矢印ｘの方向に移動するとき、次のように実現されている。
【００３２】
図１０に示すように、ロック部品１０、１０ａ、１１、１１ａはすべて第１編成システム（セグメント１２ｂ）では低位置にある。従って、バットはまずロック部品１１、１１ａの持上げカム４３上を走行するので、関連編みツールが持ち上げられる。従って、その作用バット６、６ａは、分離ロック部品５８（例えば、バット６ｂ）の分割チップ６９（図８）より上に持ち上げられることになる。制御バット７、７ａは、次に、持上げカム４３と直接に連絡した位置にあるロック部品１０、１０ａの持上げカム４６上を走行するので、全ニット高さまで持ち上げられ（例えば、作用バット６ｃ）、すでに分離ロック部品５８上をスライドしている作用バット６、６ａによって、ロック部品１０、１０ａの分割チップ７３、７３ａ（図９）に衝突することから保護される。次に、作用バット６、６ａはすべて引下げロック部品６１（たとえば、作用バット６ｄ）の作用範囲内に入り、そこから編みツール３、３ａはニット通路６６ｂに応じて最初にループ形成位置（クーリエ・ポイント）に引き込まれ、次に再び若干持ち上げられて、形成されたループを解放する。従って、編みツール３、３ａは移動段階の全期間、確実に案内されることになる。持上げ段階では、これは、ロック部品１１、１１ａ、１０、１０ａ上をスライドする制御バット７、７ａの下縁によって、および案内ロック部品５９の同一形状の下縁上をその上縁と共にスライドする作用バット６、６ａによって行われる。引下げ段階では、制御バット７、７ａは、ロック部品１０、１０ａによってさらに案内され、制御バット６、６ａは案内ロック部品５９によって案内される。次に、作用バット６、６ａの上縁は引下げロック部品６１の領域まで達し、下縁は分離ロック部品５８の上縁の領域まで達する。そのあと、ロック部品１１または１１ａの適当形状の上縁７０は制御バット７、７ａの下縁の案内を引き継いでから、作用バット６、６ａは引下げロック部品６１の下縁と補助ロック部品６２の上縁によって形成されたチャネル内に入り込み、その中で確実に案内される。望ましい最大引下げ深さは、調節ピン２９によって案内溝２７内のスライド部品６３を調節することによって設定される。
【００３３】
タック通路６６ａ（図９のセグメント１２ａ）における編みツール３、３ａの移動も、上記と同じように行われる。しかし、ロック部品１０、１０ａは、この場合は、高位置にあるので、制御バット７、７ａはロック部品１１、１１ａを通過した後、ロック部品１０、１０ａ（例えば、バット７ｂ）の下部押下げカム４５上を走行するので、さらに持ち上げられることが防止される。この機能をさらに確実なものにするために、案内ロック部品５９には、作用バット６、６ａに作用することによって、制御バット７、７ａがロック部品の持上げカムまで達したり、あるいは分割チップ７３、７３ａに突き当たらないで、その下を通過するようにするカム・セクション５９ａが設けられている。さらに、作用バット６、６ａの下縁は分離ロック部品５８（例えば、バット６ｅ）の上縁上を案内されるので、この領域においても編みツール３、３ａの案内は確実に行われることになる。その他の点については、編みツール３、３ａの移動はセグメント１２ｂにおけるそれと同じである。
【００３４】
図８に示す第３編成システム（セグメント１２）では、循環ウェルトまたはミス通路６６は、すべてのロック部品１０、１０ａ、１１、１１ａが最高位置になるように実現されている。この結果、制御バット７、７ａはこのシステム（例えば、７ｃ）に入るとき、下部押下げカム４２に突き当たり、そのカムはほぼシステム幅全体にわたっており、作用バット６、６ａは分離ロック部品５８の分割チップ６９の下を案内されて、貫通走行路に入り込み、そこで、作用バットは境界ロック部品５７（例えば、バット６ｆ）の上縁上を同時にスライドする。従って、編みツールは２つのバットによって確実に循環路内を一定に案内されてから、引下げロック部品６１と補助ロック部品６２間に形成された通路セクション内に走行する。ロック部品の押下げカム４２と境界ロック部品５７の上縁は図８に符号７１、７２で示すような形状にするか、あるいは斜面を設けると、貫通路内を案内される作用バット６、６ａは引下げロック部品６１に軽く、つまり、比較的小さな平面角で突き当たることになる。最後に、特に、図８と図９に示すように、制御バット７、７ａがずれて、それぞれロック部品１１ａと１１の分割チップ７４、７４ａ（図８）上に移ることがない。このために、ロック部品６１、６２はそれぞれ、次に続くシステムまで延びているか、そのシステムと重なっているので、これらのロック部品は、ロック部品１１、１１ａを持ち上げて制御バット７、７ａが関連分割チップ７４、７４ａの下を確実に通過し（図８）、ロック部品１１、１１ａを下に降ろしてチップ上を確実に通過してしまうまで（図９）、作用バット６、６ａを案内する。これは、スライド部品６３の全調整範囲にわたって、つまり、あるケースにおいて、どのようなメッシュ長さが引下げロック部品６１によって設定されているかに関係なく適用される。これにより、編みツール３、３ａは確実に、従って、３つの通路６６、６６ａおよび６６ｂ内でふらつくことなく案内されるので、そのバット６、６ａおよび７、７ａがそれぞれのロック部品に強く突き当たったり、飛びはねてロック部品の分離縁に突き当たって、破損することがない。
【００３５】
以上から理解されるように、図８〜図１０に示したロック装置は単なる一例である。特に、ロック部品１０、１０ａまたは１１、１１ａは異なったセットの仕方が可能である。つまり、例えば、ロック部品１０、１１をセグメント１２ｂで図示の位置まで移動させ、他方、ロック部品１０ａ、１１ｂをセグメント１２ａで図示の位置まで移動させることが可能である。これにより、編みツール３、３ａが例えば交互に制御バット７と７ａをもつ場合は、１：１タック／ニット構造がセグメント１２ｂで作られる。これに応じて、１：１ニット／ミスまたは１：１タック／ニット構造が作られ、これはさらにセグメントからセグメントへ移すことができる。
【００３６】
本発明によるロック装置の応用例の１つを示したのが図１１である。この応用例では、２つのセグメント１２ｃ、１２ｄが隣り合うように配置され、カバー部品４８を除き、図８〜図１０に示すロック部品のどれも備えていない。従って、案内バー３６、３６ａ、３７、３７ａも備えていない。その代わりに、セグメント１２ｄは持上げロック部品を備え、その持上げカム７６は作用バット（例：６ｇ）に作用し、タック位置まで、あるいは若干奥に入り込んでいる。また、引下げロック部品７７を備え、引下げカム７８はそのすぐあとに続いている。ロック部品７５、７７は共に一体構成にするのが好ましく、その場合は、カバー部品５１と同じねじ６０で取り付けられる（図８）。さらに、ロック部品７５、７７はシステム全体にわたって作用バット６、６ａ用の通路７９を形成するのが好ましい。図８〜図１０に対応する通路８０の効果は、すべての編みツールがロック部品７５、７７によって瞬時に持ち上げられ、その直後に再び下げられることであり、その場合、引下げは通常のタック位置に比較して早く行われるので（例えば、図９のセグメント１２ａ）、編みツールまたは関連編み針は糸を受け入れないので、どのループも形成することがない。この種のセグメントは、例えば、ニードル・シリンダとダイヤルを備えた丸編み機で利用されて、シリンダ・ニードル（またはダイヤル・ニードル）だけを持ち上げて管状ニット・コースを編むとき瞬時にダイヤル・ニードル（またはシリンダ・ニードル）を持ち上げるので、持上げ時にシリンダ・ニードル（またはダイヤル・ニードル）のループを持ち上げることを確実に防止することができる。
【００３７】
図１１に示すように、セグメント１２ｃは貫通またはミス位置を通り抜ける、作用バット（例：６ｈ）用の通路８１を備えている。この通路８１はセグメント幅全体にわたる２つの境界ロック部品８２と８３によって形成されているが、これは一体構成にして、ねじ６０で固定するのが好ましい。この種のセグメントは編成システムを完全に作用しないように切り替えるとき使用される。
【００３８】
どちらのセグメント１２ｃ、１２ｄの場合も、図８に示すロック装置と同じように、編みツールが一定して確実に案内されるような配慮がされている。
【００３９】
本発明は上述した実施例に限定されるものではなく、種々の態様に変更することが可能である。特に、上述したロック装置は、平編み機で使用することも、ロック装置が固定ニードル・シリンダに対して相対回転する丸編み機と組み合わせて使用することも可能である。さらに、ロック部品を備えたセグメント１２を２つ以上の編成システムに設けて、複数のシステムの幅全体にわたるようにすることが可能である。さらに、引下げロック部品６１、補助ロック部品６２およびスライド部品６３の組合せ構造以外にも、ループを形成し、あるいはループ長を調整するためのロック部品や調整デバイスを設けることも可能である。また、セグメント１２〜１２ｄの切欠き２５を省いて、その代わりに、切欠き２５に対応する貫通切欠きをもつ別の受入れプレートを設けることが可能である。この場合は、カバー部品４８、５１（図８）は受入れプレートと一体構成にすることが可能である。
【００４０】
各案内バー別に切欠きを設けることも、各々に２つの案内バーが配置される２つの切欠きを設けることも可能である。さらに、追加のマッチング・ストリップを案内バーだけでなく、切欠きにも設ければ、例えば、大きな許容誤差を補正することが可能である。これとは別に、当然のことであるが、作用バット６、６ａとそのバットに作用するロック部品を、図８および図９と異なり、制御バット７、７ａの下に配置されることも可能である。さらに、ロック部品１０、１１および１０ａ、１１ａを２または３以上の平面に、あるいは一平面だけに配置し、これに対応して、制御バット７、７ａをもつ編みツールを２または３以上の平面にあるいは一平面だけに設けることも可能である。最後に、図示のシフト・ピン２２や偏心スタッド２４とは別の手段を設けて、スライド可能部品を調節し、シフト・ピンに追加の横断スタッドなどを設けて、シフト・ピンが不用意に後ろに後退するのを防止し、偏心スタッドが制御溝から外れて落下するのを防止し、例えば、切欠き２５の底に当接させることが可能である。
【００４１】
ロック部品１０、１０ａ、１１および１１ａを別のパターンに切り替えるためには、編みツールを１つのセグメントの全幅にわたって取りはずせば、ニードルのない空間で切替えを行うことができ、これはセグメントから次のセグメントへ進めていくことができる。あるいは個々のセグメントをロック部品から取りはずし、機械の外側で調整した後、テンプレートを使用してバット６、６ａおよび７、７ａを適当に調整した後、再びロック部品に取り付けることができる。
【図面の簡単な説明】
【図１】本発明によるロック装置を備えた丸編み機を示す縦断断面図である。
【図２】本発明によるロック装置のセグメントを示す背面図である。
【図３】同じく、本発明によるロック装置のセグメントを示す前面図である。
【図４】本発明によるロック装置の第１スライド可能ロック部品を示す側面図である。
【図５】同じく、本発明によるロック装置の第１スライド可能ロック部品を示す正面図である。
【図６】本発明によるロック装置の第２スライド可能ロック部品を示す側面図である。
【図７】同じく、本発明によるロック装置の第２スライド可能ロック部品を示す正面図である。
【図８】ロック部品を完全に備えた本発明によるロック装置の３セグメントの１つを示す正面図である。
【図９】ロック部品を完全に備えた本発明によるロック装置の３セグメントの１つを示す正面図である。
【図１０】ロック部品を完全に備えた本発明によるロック装置の３セグメントの１つを示す正面図である。
【図１１】特殊ケースで使用されることを目的に、ロック部品を一部だけ備えた本発明によるロック装置の２隣接セグメントを示す正面図である。
【符号の説明】
１  ベッド
３、３ａ  編みツール
６、６ａ  作用バット
７、７ａ  制御バット
１０、１０ａ、１１、１１ａ  ロック部品
１２〜１２ｄ  セグメント
２２  シフト・ピン
２４  偏心スタッド
２５  切欠き
３３  マーク
３６、３６ａ、３７、３７ａ  案内バー
４０、４１  スペーサ
４２、４５  押下げカム
４３、４６  持上げカム
４８、５１  カバー部品
５３、５４  制御溝
５７  案内ロック・カム
５９  案内ロック・カム
５９ａ  案内カム
５８  分離ロック部品
６１  引下げロック部品
６２  補助ロック部品
６９  分割チップ
７１  斜面
７３、７３ａ  分割チップ
７４、７４ａ  分割チップ
【図１】
0003794649.tif 000002
【図２】
0003794649.tif 000003
【図３】
0003794649.tif 000004
【図４】
0003794649.tif 000005
【図５】
0003794649.tif 000006
【図６】
0003794649.tif 000007
【図７】
0003794649.tif 000008
【図８】
0003794649.tif 000009
【図９】
0003794649.tif 000010
【図１０】
0003794649.tif 000011
【図１１】
0003794649.tif 000012